(57)【特許請求の範囲】
【請求項１】
光通信発光装置と受光測定装置とを有し、光ファイバの特性測定を行なう光測定器であって、
前記光通信発光装置は、
レーザダイオードと、
前記レーザダイオードと発光波長の異なる第２レーザダイオードと、
前記レーザダイオードと前記第２レーザダイオードとの発光を切り替える出力切替部と、
前記レーザダイオードと前記第２レーザダイオードを発光素子として動作させるか受光素子として動作させるかを切り替える動作切替部と、
前記レーザダイオードまたは前記第２レーザダイオードを発光素子として動作させる場合に、前記レーザダイオードまたは前記第２レーザダイオードのレーザ発光を制御し、前記レーザダイオードまたは前記第２レーザダイオードを受光素子として駆動させる場合に、前記レーザダイオードまたは前記第２レーザダイオードが受信した信号に基づく処理を行なう制御処理部とを備え、
前記受光測定装置は、
前記光ファイバからの光を受光する受光部と、
前記受光部の受光結果に基づいて前記光ファイバの特性を測定する制御処理部と、
前記測定の結果情報を前記光通信発光装置に送信する通信用光源とを備え、
前記光通信発光装置は、
前記レーザダイオードが発光を行なう処理と、前記第２レーザダイオードが前記受光測定装置から測定の結果情報を受信する処理とを並列に行ない、さらに、
前記第２レーザダイオードが発光を行なう処理と、前記レーザダイオードが前記受光測定装置から測定の結果情報を受信する処理とを並列に行なうことを特徴とする光測定器。
【請求項２】
請求項１に記載の光測定器であって、
前記光通信発光装置は、
前記受光測定装置の通信用光源から送信された前記測定の結果情報を表示する表示部をさらに備えることを特徴とする光測定器。
【請求項３】
請求項１または２に記載の光測定器であって、
前記受光測定装置の通信用光源の発光波長は、前記光通信発光装置のレーザダイオードの発光波長以下であることを特徴とする光測定器。
【請求項４】
請求項１〜３のいずれか１項に記載の光測定器であって、
前記受光測定装置の制御処理部は、測定された前記光ファイバの特性に応じて、前記通信用光源の発光強度を変化させることを特徴とする光測定器。
【発明の詳細な説明】
【技術分野】
【０００１】
本発明は、光ファイバの損失などの光学特性を、光源と光検出部とを用いて測定する光測定器に係り、特に、光源側となる光通信発光装置に関する。
【背景技術】
【０００２】
光ファイバの損失などの光学特性を、光源と光検出部とを用いて測定する光測定器が知られている。図８は、従来の光測定器の構成例を示すブロック図である。本図に示すように光測定器は、光ファイバ３００を介して接続された光通信発光装置８００と受光測定装置８２０とを備えている。
【０００３】
光測定器で光ファイバ３００の損失を測定する光ロステストを行なう場合には、光通信発光装置８００が所定の光パワーの測定光を光ファイバ３００に出力し、受光測定装置８２０が受光して、光パワーを測定する。そして、光ファイバ３００に出力された光パワーと測定された光パワーとの比を算出することで光ファイバ３００の損失を求めることができる。
【０００４】
本図に示すように、光通信発光装置８００は、第１光源８０１、第２光源８０２、結合器８０３、制御処理部８０４、変調部８０５、駆動部８０６、出力切替部８０７、表示部８０８、操作受付部８０９を備えている。
【０００５】
第１光源８０１、第２光源８０２は、それぞれ、発光波長の異なる光源であり、例えば、レーザダイオード（ＬＤ）を用いて構成することができる。第１光源８０１、第２光源８０２は、測定光の発光に加え、受光測定装置８２０に情報を伝達するための通信光の発光を行なうことができる。通信光で伝達する情報は、例えば、発光する測定光の光パワー、波長等である。
【０００６】
結合器８０３は、第１光源８０１、第２光源８０２からの光を合波して光ファイバ３００に出力する。制御処理部８０４は、第１光源８０１、第２光源８０２の発光を制御する。変調部８０５は、第１光源８０１、第２光源８０２から通信光を発光する場合に信号の変調を行なう。駆動部８０６は、第１光源８０１、第２光源８０２を発光させるための駆動信号を生成する。出力切替部８０７は、第１光源８０１、第２光源８０２の発光を切り替える。表示部８０８は、設定内容等の表示を行ない、操作受付部８２６は、ユーザからの操作を受け付ける。
【０００７】
また、受光測定装置８２０は、受光部８２１、Ａ／Ｄ８２２、変調検出部８２３、制御処理部８２４、表示部８２５、操作受付部８２６を備えている。
【０００８】
受光部８２１は、光通信発光装置８００から送られた光を受光し、電気信号に変換する。受光部８２１は、例えば、フォトダイオード（ＰＤ）を用いて構成することができる。受光部８２１は、光パワーの測定を行なうのに加え、光通信発光装置８００から送られた通信光の受光を行なうことができる。
【０００９】
Ａ／Ｄ８２２は、光パワー測定の際に、光パワー測定値をディジタル変換する。変調検出部８２３は、受信光から所定の変調を検出する。制御処理部８２４は、光パワー測定値に基づいてロス値を算出したり、通信光で送られた信号に基づく処理を行なう。表示部８２５は算出されたロス値の表示等を行ない、操作受付部８２６は、ユーザからの操作を受け付ける。
【００１０】
本図に示したような構成の光測定器は、光通信発光装置８００から受光測定装置８２０への片方向の通信が行なわれる。このため、受光測定装置８２０が計測した光ファイバ３００のロス値は、受光測定装置８２０側で表示されることになる。
【００１１】
ところが、光通信発光装置８００と受光測定装置８２０との距離が離れている場合等に、計測結果を光通信発光装置８００でも表示させたい場合等がある。このため、図９に示すような双方向の通信を行なう光測定器も知られている。
【００１２】
図９に示した光測定器は、光通信発光装置８４０と受光測定装置８６０とを備えており、上記の構成に加え、光通信発光装置８４０は、受光部８４１、結合器８４２、Ａ／Ｄ８４３、変調検出部８４４を備え、受光測定装置８６０は、第１光源８６１、第２光源８６２、結合器８６３、結合器８６４、変調部８６５、駆動部８６６、出力切替部８６７を備えている。
【００１３】
すなわち、光通信発光装置８４０と受光測定装置８６０とも光源と受光部とを備え、それぞれの光経路を結合器８４２、結合器８６４で結合する構成となっている。このような構成により、受光測定装置８６０は、光ファイバ３００の損失の測定結果を第１光源８６１あるいは第２光源８６２からの通信光によって光通信発光装置８４０に送信することができるようになる。そして、光通信発光装置８４０は、この通信光を受光部８４１で受光し、表示部８０８に表示することができるようになる。
【先行技術文献】
【特許文献】
【００１４】
【特許文献１】特開平５−２８１０３９号公報
【発明の概要】
【発明が解決しようとする課題】
【００１５】
図９に示したような構成により、光源側である光通信発光装置８４０でも測定結果を取得して表示することができるようになる。しかしながら、光通信発光装置８４０は、光源となるレーザダイオードに加え、受光素子としてフォトダイオードを備えなければならず、構成が複雑になるとともに、コスト高になる。
【００１６】
そこで、本発明は、光測定器の光源側となる光通信発光装置において、簡易な構成で、測定に関する情報を取得できるようにすることを目的とする。
【課題を解決するための手段】
【００１７】
上記課題を解決するため、本発明の第１の態様である光通信発光装置は、光ファイバを介して光の授受を行なう光通信発光装置であって、レーザダイオードと、前記レーザダイオードを発光素子として動作させるか受光素子として動作させるかを切り替える動作切替部と、前記レーザダイオードを発光素子として動作させる場合に、前記レーザダイオードのレーザ発光を制御し、前記レーザダイオードを受光素子として駆動させる場合に、前記レーザダイオードが受信した信号に基づく処理を行なう制御処理部とを備えたことを特徴とする。
【００１８】
本発明によれば、レーザダイオードを発光素子として動作させるのに加え、受光素子としても動作させることにより、簡易な構成で、測定に関する情報を取得できるようにすることができる。
【００１９】
ここで、前記レーザダイオードと発光波長の異なる第２レーザダイオードと、前記レーザダイオードと前記第２レーザダイオードとの発光を切り替える出力切替部をさらに備えるようにしてもよい。これにより、波長特性を測定することができるようになる。
【００２０】
上記課題を解決するため、本発明の第２の態様である光測定器は、光通信発光装置と受光測定装置とを有し、光ファイバの特性測定を行なう光測定器であって、前記光通信発光装置は、レーザダイオードと、前記レーザダイオードを発光素子として動作させるか受光素子として動作させるかを切り替える動作切替部と、前記レーザダイオードを発光素子として動作させる場合に、前記レーザダイオードのレーザ発光を制御し、前記レーザダイオードを受光素子として駆動させる場合に、前記レーザダイオードが受信した信号に基づく処理を行なう制御処理部とを備え、前記受光測定装置は、前記光ファイバからの光を受光する受光部と、前記受光部の受光結果に基づいて前記光ファイバの特性を測定する制御処理部と、前記測定の結果情報を前記光通信発光装置に送信する通信用光源とを備えたことを特徴とする。
【００２１】
ここで、前記光通信発光装置は、前記受光測定装置の通信用光源から送信された前記測定の結果情報を表示する表示部をさらに備えることができる。
【００２２】
また、前記受光測定装置の通信用光源の発光波長は、前記光通信発光装置のレーザダイオードの発光波長以下であることが望ましい。これにより、レーザダイオードで確実に通信用光源からの光を受光することができるようになる。さらには、前記受光測定装置の制御処理部は、測定された前記光ファイバの特性に応じて、前記通信用光源の発光強度を変化させるようにしてもよい。
【発明の効果】
【００２３】
本発明によれば、光測定器の光源側となる光通信発光装置において、簡易な構成で、測定に関する情報を取得できるようになる。
【図面の簡単な説明】
【００２４】
【図１】第１実施例に係る光測定器の構成を示すブロック図である。
【図２】第１実施例の光測定器における光ファイバの損失の計測手順について説明するタイミングチャートである。
【図３】第２実施例に係る光測定器の構成を示すブロック図である。
【図４】第２実施例の光測定器における光ファイバの損失の計測手順について
【図５】第３実施例に係る光測定器の構成を示すブロック図である。
【図６】第３実施例の光測定器における光ファイバの損失の計測手順および通信手順について説明するタイミングチャートである。
【図７】レーザダイオードの帯域による受光感度特性を示す図である。
【図８】片方向通信を行なう従来の光測定器の構成を示すブロック図である。
【図９】双方向通信を行なう従来の光測定器の構成を示すブロック図である。
【発明を実施するための形態】
【００２５】
本発明の実施の形態について図面を参照して説明する。図１は、本実施形態の第１実施例に係る光測定器の構成を示すブロック図である。本図に示すように第１実施例の光測定器は、光ファイバ３００を介して接続された光通信発光装置１００と受光測定装置２００とを備えている。
【００２６】
光通信発光装置１００は、第１ＬＤ１０１、第２ＬＤ１０２、結合器１０３、制御処理部１０４、変調部１０５、駆動部１０６、出力切替部１０７、動作切替部１０８、変調検出部１０９、表示部１１０、操作受付部１１１を備えている。
【００２７】
第１ＬＤ１０１、第２ＬＤ１０２は、それぞれ、発光波長の異なるレーザダイオードである。発光波長の異なるレーザダイオードを備えることにより、光ファイバ３００の波長特性を測定することができる。第１ＬＤ１０１、第２ＬＤ１０２は、測定光の発光に加え、受光測定装置２００に情報を伝達するための通信光の発光を行なうことができる。伝達する情報は、例えば、発光する測定光の光パワー、波長等であり、変調部１０５により所定の変調が施される。
【００２８】
さらに、本実施形態において、第１ＬＤ１０１、第２ＬＤ１０２は、受光素子としての動作も行なう。一般に、レーザダイオードとフォトダイオードとは、基本的な構造が同一であるため、レーザダイオードが出力する光電流を検出することで、レーザダイオードを受光素子として動作させることができる。このため、本実施形態では、光源側でレーザダイオードとフォトダイオードの双方を備える必要がなくなり、構成を簡素化することができるとともに、コストを削減することができる。
【００２９】
動作切替部１０８は、第１ＬＤ１０１、第２ＬＤ１０２のそれぞれを発光素子、受光素子のどちらで動作させるかを切り替える。すなわち、発光素子として動作させる場合には、第１ＬＤ１０１あるいは第２ＬＤ１０２に駆動電圧を印加させるように回路を切り替え、受光素子として動作させる場合には、第１ＬＤ１０１あるいは第２ＬＤ１０２からの光電流を検出できるように回路を切り替える。なお、動作の切替は第１ＬＤ１０１と、第２ＬＤ１０２とで独立に行なうことができる。
【００３０】
結合器１０３は、第１ＬＤ１０１、第２ＬＤ１０２からの光を合波して光ファイバ３００に出力する。また、光ファイバ３００から入力した光を第１ＬＤ１０１、第２ＬＤ１０２に分配する。制御処理部１０４は、第１ＬＤ１０１、第２ＬＤ１０２の発光を制御する。また、第１ＬＤ１０１、第２ＬＤ１０２が受光した信号光に基づく処理を制御する。受光した信号光に基づく処理は、例えば、測定結果を受信した場合に、測定結果を表示部１１０に表示する処理とすることができる。
【００３１】
変調部１０５は、第１ＬＤ１０１、第２ＬＤ１０２から通信光を発光する場合に信号の変調を行なう。駆動部１０６は、第１ＬＤ１０１、第２ＬＤ１０２を発光させるための駆動信号を生成する。出力切替部１０７は、第１ＬＤ１０１、第２ＬＤ１０２の発光を切り替える。表示部１１０は、設定内容、測定結果等の表示を行ない、操作受付部１１１は、ユーザからの操作を受け付ける。
【００３２】
また、受光測定装置２００は、受光部２０１、Ａ／Ｄ２０２、変調検出部２０３、制御処理部２０４、通信用光源２０５、変調部２０６、駆動部２０７、結合器２０８、表示部２０９、操作受付部２１０を備えている。
【００３３】
受光部２０１は、光通信発光装置１００から送られた光を受光し、電気信号に変換する。受光部２０１は、例えば、フォトダイオード（ＰＤ）を用いて構成することができる。受光部２０１は、光パワーの測定を行なうのに加え、光通信発光装置１００から送られた通信光の受光を行なうことができる。
【００３４】
Ａ／Ｄ２０２は、光パワー測定の際に、光パワー測定値をディジタル変換する。変調検出部２０３は、受信光から所定の変調を検出する。制御処理部２０４は、光パワー測定値に基づいてロス値を算出したり、通信光で送られた信号に基づく処理を行なう。また、本実施形態では、測定結果を光通信発光装置１００に送信する処理の制御も行なう。
【００３５】
通信用光源２０５は、光通信発光装置１００に情報を伝達するための通信光の発光を行なう。通信用光源２０５は、例えば、レーザダイオードを用いることができる。光通信発光装置１００に伝達する情報は、例えば、光ファイバ３００の損失の測定結果である。
【００３６】
変調部２０６は、通信用光源２０５から通信光を発光する場合に信号の変調を行なう。駆動部２０７は、通信用光源２０５を発光させるための駆動信号を生成する。結合器２０８は、光ファイバ３００から受光部２０１への光経路と、通信用光源２０５から光ファイバ３００への光経路とを結合ずる。表示部２０９は算出されたロス値の表示等を行ない、操作受付部２１０は、ユーザからの操作を受け付ける。
【００３７】
このような構成の第１実施例の光測定器における光ファイバ３００の損失の計測手順の例について、図２のタイミングチャートを参照して説明する。本例では、まず、第１ＬＤ１０１を発光素子として動作させる発光モードとし、第２ＬＤ１０２を受光素子として動作させる受光モードにする。
【００３８】
そして、測定に先立ち、時刻ｔ０から時刻ｔ１まで、光通信発光装置１００から受光測定装置２００に対して通信光による情報の伝達が行なわれる。すなわち、第１ＬＤ１０１が通信発光（ａ）を行ない、受光部２０１が通信受光（ｇ）を行なう。ここでは、測定に用いる測定光の波長、光パワーに関する情報が光通信発光装置１００から受光測定装置２００に送られる。これは、受光測定装置２００において損失を測定する際、受光設定を光源の波長に合わせる必要があり、また、ロスを算出する際の光パワーの基準値を設定する必要があるからである。ただし、他の情報を送受信するようにしてもよい。
【００３９】
通信光による情報の伝達を終えると、測定を開始し、時刻ｔ１から時刻ｔ２まで、第１ＬＤ１０１が測定光の発光（ｂ）を行ない、受光測定装置２００の受光部２０１が光ファイバ３００の損失の測定（ｈ）を行なう。そして、受光測定装置２００の通信用光源２０５が測定結果を光通信発光装置１００にリアルタイムで送信する（ｋ）。この際に、通信用光源２０５の発光強度を、光ファイバ３００のロス値に応じた発光レベルとすることができる。光通信発光装置１００の第２ＬＤ１０２は、この通信光を受光し、表示部１１０が測定結果の表示を行なう（ｄ）。
【００４０】
これにより、光通信発光装置１００側で測定結果を取得することができる。また、以降の計測において、受光測定装置２００の受光部２０１が測定する光パワーが最適になるように、ロス値に応じて、第１ＬＤ１０１あるいは第２ＬＤ１０２の発光強度を調整するようにしてもよい。
【００４１】
次に、異なる波長の光で測定を行なうため、第１ＬＤ１０１を受光素子として動作させる受光モードとし、第２ＬＤ１０２を発光素子として動作させる発光モードにする。
【００４２】
そして、測定に先立ち、時刻ｔ２から時刻ｔ３まで、光通信発光装置１００から受光測定装置２００に対して通信光による情報の伝達が行なわれる。すなわち、第２ＬＤ１０２が通信発光（ｅ）を行ない、受光部２０１が通信受光（ｉ）を行なう。通信の内容は上記と同様とすることができる。
【００４３】
時刻ｔ３から時刻ｔ４まで、第２ＬＤ１０２が測定光の発光（ｆ）を行ない、受光測定装置２００の受光部２０１が光ファイバ３００の損失の測定（ｊ）を行なう。そして、受光測定装置２００の通信用光源２０５が測定結果を光通信発光装置１００にリアルタイムで送信する（ｌ）。この際に、光ファイバ３００のロス値に応じた発光レベルとすることができる。光通信発光装置１００の第１ＬＤ１０１は、この通信光を受光し、表示部１１０が測定結果の表示を行なう（ｃ）。
【００４４】
このように、第１実施例では、光通信発光装置１００は、発光波長の異なる第１ＬＤ１０１と第２ＬＤ１０２とを備えることにより、光ファイバ３００の損失の波長特性を計測することができるのに加え、一方のレーザダイオードで計測光を発光させながら、他方のレーザダイオードで通信光の受光を行なうという並列処理を行なうことができる。
【００４５】
次に、本実施形態の第２実施例について説明する。第１実施例では、発光側に発光波長の異なる第１ＬＤ１０１と第２ＬＤ１０２とを備えるようにしていたが、第２実施例では、発光側のＬＤを１つとして、より簡易な構成とする。
【００４６】
図３は、第２実施例に係る光測定器の構成を示すブロック図である。本図に示すように第２実施例の光測定器は、光ファイバ３００を介して接続された光通信発光装置１２０と受光測定装置２２０とを備えている。第１実施例と同じ機能ブロックについては同じ符号を付し、説明を簡略化する。
【００４７】
光通信発光装置１２０は、第１ＬＤ１０１、制御処理部１０４、変調部１０５、駆動部１０６、動作切替部１０８、変調検出部１０９、表示部１１０、操作受付部１１１を備えている。すなわち、第１実施例の光通信発光装置１００から第２ＬＤ１０２、結合器１０３、出力切替部１０７を省いた構成となっている。
【００４８】
本実施例においても、第１ＬＤ１０１は、発光素子としての動作に加え、受光素子としての動作も行なう。これにより、光源側でレーザダイオードとフォトダイオードの双方を備える必要がなくなり、構成を簡素化することができるとともに、コストを削減することができる。
【００４９】
また、受光測定装置２２０は、受光部２０１、Ａ／Ｄ２０２、変調検出部２０３、制御処理部２０４、通信用光源２０５、変調部２０６、駆動部２０７、結合器２０８、表示部２０９、操作受付部２１０を備えている。すなわち、第１実施例の受光測定装置２００と同じ構成となっている。
【００５０】
このような構成の第２実施例の光測定器における光ファイバ３００の損失の計測手順の例について、図４のタイミングチャートを参照して説明する。本実施例では、光通信発光装置１２０が備えるレーザダイオードが１つであるため、測定光の発光と、通信光の受光とを並行して行なうことができない。そこで、まず、第１ＬＤ１０１を発光素子として動作させる発光モードとする。
【００５１】
そして、測定に先立ち、時刻ｔ０から時刻ｔ１まで、光通信発光装置１２０から受光測定装置２２０に対して通信光による情報の伝達が行なわれる。すなわち、第１ＬＤ１０１が通信発光（ａ）を行ない、受光部２０１が通信受光（ｅ）を行なう。ただし、送信すべき情報が既知であれば、この通信光の送受信は省くようにしてもよい。
【００５２】
通信光による情報の伝達を終えると、測定を開始し、時刻ｔ１から時刻ｔ２まで、第１ＬＤ１０１が測定光の発光（ｂ）を行ない、受光測定装置２２０の受光部２０１が光ファイバ３００の損失の測定（ｆ）を行なう。
【００５３】
そして、測定が終了すると、光通信発光装置１２０の第１ＬＤ１０１が通信発光（ｃ）を行ない、受光部２０１が通信受光（ｇ）を行なうことにより、測定が終了したことを受光測定装置２２０に通知する。
【００５４】
次いで、第１ＬＤ１０１を受光素子として動作させる受光モードに切り替え、受光測定装置２２０の通信用光源２０５が測定結果を光通信発光装置１２０に送信する（ｈ）。この際に、通信用光源２０５の発光強度を、光ファイバ３００のロス値に応じた発光レベルとすることができる。光通信発光装置１２０の第１ＬＤ１０１は、この通信光を受光し、表示部１１０が測定結果の表示を行なう（ｄ）。これにより、光通信発光装置１２０側で測定結果を把握することができるようになる。
【００５５】
次に、本実施形態の第３実施例について説明する。第３実施例では、第２実施例で用いた光通信発光装置１２０同士を光ファイバ３００で接続した場合について説明する。本実施例は、光ファイバ３００の損失計測に精度が要求されない場合や、光通信発光装置１２０同士で光通信を行なう場合に効果的である。
【００５６】
図５は、第３実施例に係る光測定器の構成を示すブロック図である。本図に示すように第３実施例の光測定器は、光ファイバ３００を介して接続された光通信発光装置１２０ａと光通信発光装置１２０ｂとを備えている。上記の実施例と同じ機能ブロックについては同じ符号を付し、説明を簡略化する。
【００５７】
光通信発光装置１２０ａは、ＬＤ１０１ａ、制御処理部１０４ａ、変調部１０５ａ、駆動部１０６ａ、動作切替部１０８ａ、変調検出部１０９ａ、表示部１１０ａ、操作受付部１１１ａを備えている。すなわち、第２実施例の光通信発光装置１２０と同じ構成である。
【００５８】
光通信発光装置１２０ｂは、ＬＤ１０１ｂ、制御処理部１０４ｂ、変調部１０５ｂ、駆動部１０６ｂ、動作切替部１０８ｂ、変調検出部１０９ｂ、表示部１１０ｂ、操作受付部１１１ｂを備えている。すなわち、第２実施例の光通信発光装置１２０と同じ構成である。
【００５９】
本実施例においても、ＬＤ１０１ａ、ＬＤ１０１ｂは、発光素子としての動作に加え、受光素子としての動作も行なう。これにより、光源側でレーザダイオードとフォトダイオードの双方を備える必要がなくなり、構成を簡素化することができるとともに、コストを削減することができる。
【００６０】
このような構成の第３実施例の光測定器における光ファイバ３００の損失の計測手順の例について、図６（ａ）のタイミングチャートを参照して説明する。本実施例では、光通信発光装置１２０ａを光源側とし、光通信発光装置１２０ｂを測定側とする。そこで、まず、ＬＤ１０１ａを発光素子として動作させる発光モードとし、ＬＤ１０１ｂを受光素子として動作させる受光モードとする。
【００６１】
そして、測定に先立ち、時刻ｔ０から時刻ｔ１まで、光通信発光装置１２０ａから光通信発光装置１２０ｂに対して通信光による情報の伝達が行なわれる。すなわち、ＬＤ１０１ａが通信発光（ａ）を行ない、受光部２０１が通信受光（ｅ）を行なう。
【００６２】
通信光による情報の伝達を終えると、測定を開始し、時刻ｔ１から時刻ｔ２まで、ＬＤ１０１ａが測定光の発光（ｂ）を行ない、光通信発光装置１２０ｂのＬＤ１０１ｂが光ファイバ３００の損失の測定（ｅ）を行なう。
【００６３】
測定が終了すると、ＬＤ１０１ａを受光素子として動作させる受光モードに切り替え、ＬＤ１０１ｂを発光素子として動作させる発光モードに切り替える。そして、光通信発光装置１２０ｂのＬＤ１０１ｂが測定結果を光通信発光装置１２０ａに送信する（ｆ）。光通信発光装置１２０ａのＬＤ１０１ａは、この通信光を受光し、表示部１１０ａが測定結果の表示を行なう（ｃ）。これにより、発光側の光通信発光装置１２０ａで測定結果を把握することができるようになる。
【００６４】
図６（ｂ）は、第３実施例の光測定器における光通信発光装置１２０ａと光通信発光装置１２０ｂとの間の光通信手順の例を示すタイミングチャートである。本図に示すように、光通信発光装置１２０ａのＬＤ１０１ａと、光通信発光装置１２０ｂのＬＤ１０１ｂとは、発光モードと受光モードとが交互に切り替わるようにし、発光モードの際に通信発光を行ない、受光モードの際に通信受光を行なうことで、光通信発光装置１２０ａと光通信発光装置１２０ｂとの間で光電話等の光通信を行なうことができるようになる。
【００６５】
なお、一般に、受光素子は帯域によって受光感度が異なる。図７（ａ）は、発光波長が１．３１μｍ帯のレーザダイオードを受光素子として用いた場合の受光感度特性と、発光波長が１．５５μｍ帯のレーザダイオードを受光素子として用いた場合の受光感度特性とを示す図である。本図に示すように、レーザダイオードは、発光波長付近に受光感度のピークがあり、バンドギャップのため、発光波長より長波長側には伸びない特性となっている。
【００６６】
このため、光通信発光装置１２０ａのＬＤ１０１ａと、光通信発光装置１２０ｂのＬＤ１０１ｂの発光波長が同一であれば双方向の通信を問題なく行なうことができる。一方、発光波長が同一でない場合には、図７（ｂ）に示すように、発光側のレーザダイオードの発光波長が、受光側のレーザダイオードの発光波長より短いことが必要とされる。すなわち、発光側のレーザダイオードの発光波長が、受光側のレーザダイオードの発光波長より長い場合には、図７（ｃ）に示すように、受光帯域から外れてしまい、受光できない場合がある。
【００６７】
したがって、例えば、第１実施例では、受光測定装置２００の通信用光源２０５の発光波長は、第１ＬＤ１０１、第２ＬＤ１０２の発光波長以下になるようにする。また、第２実施例では、受光測定装置２２０の通信用光源２０５の発光波長は、第１ＬＤ１０１の発光波長以下とする。さらに、第３実施例では、双方向の通信を行なうため、光通信発光装置１２０ａのＬＤ１０１ａと、光通信発光装置１２０ｂのＬＤ１０１ｂの発光波長を同一とすることが望ましい。
【符号の説明】
【００６８】
１００…光通信発光装置、１０１…第１ＬＤ、１０２…第２ＬＤ、１０３…結合器、１０４…制御処理部、１０５…変調部、１０６…駆動部、１０７…出力切替部、１０８…動作切替部、１０９…変調検出部、１１０…表示部、１１１…操作受付部、１２０…光通信発光装置、２００…受光測定装置、２０１…受光部、２０２…Ａ／Ｄ、２０３…変調検出部、２０４…制御処理部、２０５…通信用光源、２０６…変調部、２０７…駆動部、２０８…結合器、２０９…表示部、２１０…操作受付部、２２０…受光測定装置、３００…光ファイバ、８００…光通信発光装置、８０１…第１光源、８０２…第２光源、８０３…結合器、８０４…制御処理部、８０５…変調部、８０６…駆動部、８０７…出力切替部、８０８…表示部、８０９…操作受付部、８２０…受光測定装置、８２１…受光部、８２２…Ａ／Ｄ、８２３…変調検出部、８２４…制御処理部、８２５…表示部、８２６…操作受付部、８４０…光通信発光装置、８４１…受光部、８４２…結合器、８４３…Ａ／Ｄ、８４４…変調検出部、８６０…受光測定装置、８６１…第１光源、８６２…第２光源、８６３…結合器、８６４…結合器、８６５…変調部、８６６…駆動部、８６７…出力切替部
【図１】
0005630631.tif 000002
【図２】
0005630631.tif 000003
【図３】
0005630631.tif 000004
【図４】
0005630631.tif 000005
【図５】
0005630631.tif 000006
【図６】
0005630631.tif 000007
【図７】
0005630631.tif 000008
【図８】
0005630631.tif 000009
【図９】
0005630631.tif 000010